(57)【要約】【課題】収納時のクリップの絡まりを防止することができ、洗濯物を干す作業効率が良く便利なピンチハンガーを提供する。【解決手段】側面が斜め上方に面して傾斜された枠体１２と、枠体１２の側面に取り付けられたクリップ１６と、枠体１２に取り付けられた吊下げ具２８を有する。クリップ１６は、一対の挟持部材１８が所定角度で付勢されて互いに当接し、クリップ１６の互いに当接した挟持用端部２２は、枠体１２の側面の下方を向いている。挟持部材１８の一方は枠体１２の側面に取り付けられ、他方は側面から離れて吊り下げ状態でほぼ下方向を向いて位置している。【選択図】図１
0003140272.tif 000002
【実用新案登録請求の範囲】
【請求項１】
４本のクリップ保持部材を四角形に組んで形成され外側の側面が斜め上方に面して傾斜した枠体と、前記枠体の側面に固定され一方の挟持部材が揺動自在に設けられたクリップと、前記枠体に取り付けられた吊下げ具が設けられ、前記クリップは、前記挟持部材の挟持用端部が所定角度で付勢されて当接し、前記挟持用端部は前記枠体の外側の前記側面に下方を向いて固定的に取り付けられているとともに、前記挟持部材の一方のみが前記枠体の側面から離れて揺動自在に位置し、この離れた方の挟持部材の外側側面は、吊り下げ状態でほぼ下方向を向いて前記クリップ保持部材の側面に対して揺動可能に設けられ、前記挟持用端部よりも前記クリップ保持部材の側面の下端縁部が下方に位置し、または前記挟持用端部が前記クリップ保持部材の下端縁部よりも下方に位置していることを特徴とするピンチハンガー。
【請求項２】
前記挟持部材の把持部の上端は前記クリップ保持部材の側面の上端縁部とほぼ同じ位置に設けられていることを特徴とする請求項1記載のピンチハンガー。
【請求項３】
前記クリップは、前記枠体の前記側面に軸受け部が突出して設けられ、前記軸受け部に回転可能に挟持部材が所定角度で付勢されて設けられていることを特徴とする請求項1記載のピンチハンガー。
【請求項４】
前記枠体に一端部が取り付けられ前記枠体の外側に所定間隔離れて水平方向に揺動自在に位置した物干し棒と、前記枠体の角部から突出して外側に設けられ前記物干し棒の一方の端部を水平方向に揺動可能に軸止した回転支持部が設けられ、前記物干し棒は前記回転支持部を中心として前記側面の外側で水平方向に揺動可能であることを特徴とする請求項１記載のピンチハンガー。
【請求項５】
前記枠体の内側に、前記枠体の１辺と平行な軸を中心に揺動自在にクリップ保持板が設けられ、このクリップ保持板の側面にもクリップが固定され、前記クリップ保持板は前記枠体の内側の空間内に収納可能に設けられているとともに、前記枠体の内側の係止縁部により収納位置と洗濯物の吊り下げ位置で係止可能に設けられていることを特徴とする請求項1記載のピンチハンガー。
【考案の詳細な説明】
【技術分野】
【０００１】
この考案は、洗濯物を吊下げて干すときに使用するピンチハンガーに関する。
【背景技術】
【０００２】
従来、洗濯物を吊下げて干すピンチハンガーは、矩形や円形の枠体が設けられ、この枠体に複数のクリップが金属製の鎖やプラスチック製の紐体等で下げられて設けられている。そして枠体には、フック形等の吊下げ具が設けられている。このようなピンチハンガーの使用方法は、物干し竿等にこの吊下げ具をかけて下垂させ、クリップに洗濯物を挟んだ状態で乾かすものである。
【特許文献１】実開平６−３９０号公報
【特許文献２】実登３０８５１７２号公報
【考案の開示】
【考案が解決しようとする課題】
【０００３】
上記従来の技術の場合、収納時等に枠体に取り付けられたクリップ同士が絡み合ったり、洗濯カゴの目や他の物干し器具に引っかかりやすかった。このため、絡みついたクリップを離す手間がかかり、面倒であった。また、このようなピンチハンガーに下着を干すときは、外から見えないようにピンチハンガーを、目が粗く模様のある袋等に入れて吊るしたり、家の中に干したりしていた。あるいは、ピンチハンガーの枠体に、タオル等を洗濯ばさみで取り付けることがあるが、この方法は枠体の断面形状が洗濯ばさみで挟むことができる程度の扁平な形状でないとできなかった。また枠体が同心円や矩形の相似形で二重に設けられて、外側の枠体にタオルを、内側の枠体に下着を干す方法もあるが、枠体が二重構造になるため大形となり、干す場所が広く必要であった。
【０００４】
この考案は、上記従来の技術の問題点に鑑みてなされたものであり、収納時のクリップの絡まりを防止することができ、洗濯物を干す作業効率が良く便利なピンチハンガーを提供することを目的とする。
【課題を解決するための手段】
【０００５】
この願考案は、  ４本のクリップ保持部材を四角形に組んで形成され外側の側面が斜め上方に面して傾斜した枠体と、前記枠体の側面に固定され一方の挟持部材が揺動自在に設けられたクリップと、前記枠体に取り付けられた吊下げ具が設けられ、前記クリップは、前記挟持部材の挟持用端部が所定角度で付勢されて当接し、前記挟持用端部は前記枠体の外側の前記側面に下方を向いて固定的に取り付けられているとともに、前記挟持部材の一方のみが前記枠体の側面から離れて揺動自在に位置し、この離れた方の挟持部材の外側側面は、吊り下げ状態でほぼ下方向を向いて前記クリップ保持部材の側面に対して揺動可能に設けられ、前記挟持用端部よりも前記クリップ保持部材の側面の下端縁部が下方に位置し、または前記挟持用端部が前記クリップ保持部材の下端縁部よりも下方に位置しているピンチハンガーである。また、前記挟持部材の把持部の上端は前記クリップ保持部材の側面の上端縁部とほぼ同じ位置に設けられているものである。
【０００６】
前記クリップは、前記枠体の前記側面に軸受け部が突出して設けられ、前記軸受け部に回転可能に挟持部材が所定角度で付勢されて設けられている。
【０００７】
前記枠体に一端部が取り付けられ前記枠体の外側に所定間隔離れて水平方向に揺動自在に位置した物干し棒と、前記枠体の角部から突出して外側に設けられ前記物干し棒の一方の端部を水平方向に揺動可能に軸止した回転支持部が設けられ、前記物干し棒は、前記回転支持部を中心として前記側面の外側で水平方向に揺動可能なものである。
【０００８】
前記枠体の内側に、前記枠体の１辺と平行な軸を中心に揺動自在にクリップ保持板が設けられ、このクリップ保持板の側面にもクリップが固定され、前記クリップ保持板は前記枠体の内側の空間内に収納可能に設けられているとともに、前記枠体の内側の係止縁部により収納位置と洗濯物の吊り下げ位置で係止可能に設けられているものである。
【考案の効果】
【０００９】
本発明のピンチハンガーは、クリップの絡まりを防止し、洗濯物等を干す作業効率が良くて使いやすいものである。また、物干し棒が設けられたものは、下着等の洗濯物をタオル等で目隠しすることができ、外観が良好である。さらに、クリップを把持する際には、枠体の内側に４本の指を入れて親指を把持部にかけてクリップを把持することが出来、力の弱い人や、手が不自由な人、手が震える人等、手指に障害のある人にとって使いやすいものである。
【考案を実施するための最良の形態】
【００１０】
以下、この考案の実施形態について図面に基づいて説明する。図１はこの考案の第一実施形態を示すもので、この実施形態のピンチハンガー１０には、枠体１２が設けられている。枠体１２は、金属製の棒部材を溶接して組み立てたり、合成樹脂で棒部材が連結された形状に一体成型して設けられた台形状のクリップ保持部材１４により形成されている。クリップ保持部材１４は、上辺部１２ａと、上辺部１２ａより長い下辺部１２ｂを有し、上辺部１２ａと下辺部１２ｂは、互いに平行で、上辺部１２ａと下辺部１２ｂによる各四角形は、中心点が同一仮想線上であり、所定距離離れて位置している。そして上辺部１２ａと下辺部１２ｂの角部同士は、一定長さの４本の連結辺部１２ｃで連結されている。連結辺部１２ｃは、上端部から下端部に近づくにつれて外側に広がるように傾斜して設けられている。
【００１１】
上辺部１２ａと下辺部１２ｂの間には、環状のクリップ保持部１４ａが設けられて、上辺部１２ａと下辺部１２ｂにまたがって設けられている。クリップ保持部１４ａには、クリップ１６が固定されている。
【００１２】
クリップ１６は、一対の長板状の挟持部材１８を有し、挟持部材１８の長手方向に対して交差する幅は、やや広めに形成されている。一対の挟持部材１８は、ほぼ中心に軸受けが互いに対向して突出して形成され、軸受け同士に軸部材が挿通されて軸受けを中心に回転する。挟持部材１８には、金属製で一部が破断された環状のバネ部材２０が取り付けられ、挟持部材１８の一端部同士が所定角度で互いに付勢されて当接している。なお、この付勢されて当接する端部を、挟持用端部２２とする。
【００１３】
クリップ１６は、挟持用端部２２が下方を向いた状態でクリップ保持部１４ａに固定されている。このとき、クリップ保持部材１４は、上辺部１２ａと下辺部１２ｂを結ぶ傾斜、つまり斜め上方に面して傾斜して設けられている。クリップ保持部材１４の傾斜は、枠体１２の下端縁を含む仮想の面に対して、垂直方向との角度が、クリップ１６の一対の挟持部材１８が成す角度とほぼ等しい。このため、クリップ保持部１４に取り付けられたクリップ１６は、クリップ保持部１４とは反対側の挟持部材１８の外側面１８ａが、吊り下げ状態でほぼ垂直方向に位置している。
【００１４】
枠体１２に取り付けられるクリップ１６の数は、例えば図１に示すように枠体１２が長方形の場合、長い辺には３個ずつ、短い辺には２個ずつ設けられている。なお、クリップ１６の数は限定されず、自由に変更可能である。
【００１５】
枠体１２の上辺部１２ａの４隅には、連結用長尺部材２４が取り付けられている。４本の連結用長尺部材２４の先端部は、枠体１２の中心の垂直方向上方に位置する連結部材２６に連結され、連結部材２６にはフック形の吊下げ具２８が取り付けられている。なお、連結用長尺部材２４は、鎖等でも良い。
【００１６】
次に、この実施形態のピンチハンガー１０の使用方法について説明する。ピンチハンガー１０の吊下げ具２８を、物干し竿等任意の部材にかけてピンチハンガー１０を吊下げる。そしてクリップ１６に、洗濯物を挟んで吊るし、長時間放置して乾かす。
【００１７】
この実施形態のピンチハンガー１０によれば、クリップ１６が枠体１２に直接取り付けられているため、クリップ１６同士、またはクリップ１６と、枠体１２、連結用長尺部材２４、吊下げ具２８、その他の物干し用具、洗濯カゴの目等が絡まることがなく、洗濯物を干す作業効率が良く便利である。また、クリップ１６の挟持部材１８は、外側面１８ａがほぼ垂直方向に設けられるため、クリップ１６を開けたり閉めたりする操作が容易である。またクリップ１６の挟持用端部２２は、作業者がピンチハンガー１０の側方に立ったときに作業者のほうへ向くため、挟持用端部２２が見やすくなり、洗濯物を干しやすくなる。
【００１８】
次にこの考案の第二実施形態について図２、図３に基づいて説明する。ここで、上記実施形態と同様の部材は同様の符号を付して説明を省略する。この実施形態のピンチハンガー１０は、金属製又は合成樹脂製のクリップ保持部材１４を組んで枠体１２が形成され、上辺部１２ａと下辺部１２ｂ間の台形状の側面には、合成樹脂成型品や金属網構造の網目部１５が設けられている。
【００１９】
この実施形態のクリップ１６は、把持部１７が枠体１２の上辺部１２ａから突出し、挟持部材１８の下端の挟持用端部２２の先端は、枠体１２の下辺部１２ｂと同じ位置に固定されている。
【００２０】
この実施形態のクリップ１６は、枠体１２に対して挟持部材１８の操作性が良く、網目部１５により通気性も良く、乾き易い。
【００２１】
次にこの考案の第三実施形態について図４に基づいて説明する。ここで、上記実施形態と同様の部材は同様の符号を付して説明を省略する。この実施形態のピンチハンガー３０も、合成樹脂製であり、枠体１２が台形状の４枚のクリップ保持部材３２で作られ、４個のクリップ保持部材３２が連接して矩形に形成されている。
【００２２】
クリップ保持部材３２には、水平方向に所定間隔で、軸受け部３４が突出して一体に形成されている。クリップ保持部材３２の軸受け部３４の下方には、それぞれ挟持突起４６が一体に形成され、挟持突起４６の下端部はクリップ保持部材３２の下端縁部３２ｂよりも下方に突出している。軸受け部３４には、クリップ１６の片側を形成し挟持突起４６とともに挟持部材を構成する挟持部材３６が、回転可能に軸止されている。挟持部材３６には、軸受け部３４に連通する軸孔を有する軸受け部３５が設けられ、軸受け部３４，３５には軸部材３８が水平方向に貫通している。そして挟持部材３６とクリップ保持部材３２の間には、付勢手段であるバネ部材４０が設けられている。クリップ保持部材３２と挟持部材３６には、バネ部材４０用の透孔４２，４４が形成され、バネ部材４０の一端部は挟持部材３６の下端部３６ａ近傍に当接し、バネ部材４０の他端部は透孔４２，４４を通過してクリップ保持部材３２の裏側に当接している。挟持部材３６の下端部３６ａは、バネ部材４０により付勢されて挟持突起４６に当接している。そして、挟持部材３６の外側面３６ｂは、吊り下げ状態でほぼ垂直方向に位置している。
【００２３】
この実施形態のピンチハンガー３０によれば、クリップ保持部材３２に挟持部材３６が直接取り付けられてクリップ１６を設けているため、クリップ１６同士、またはクリップ１６と他の部材が絡まることがなく、洗濯物を干す作業効率が良く操作性も良い。また、クリップ１６を把持する際に、クリップ保持部材３２に指を伸ばしたまま４本とも掛けることができ、保持しやすいものである。さらに、手指の不自由な人にも操作性がよい。なお、挟持突起４６はなくても良く、挟持部材３６とクリップ保持部材３２表面により挟持する構造でも良い。
【００２４】
次に、この考案の第四実施形態について図５〜図７に基づいて説明する。ここで、上記実施形態と同様の部材は同様の符号を付して説明を省略する。この実施形態のピンチハンガー４８は、図２と同様に枠体１２が合成樹脂製のクリップ保持部材３２で作られ、クリップ保持部材３２には複数のクリップ１６が所定間隔で取り付けられている。また、外側の挟持部材１８の外側面１８ａは、図７に示すように上記実施形態と同様に、吊り下げ状態でほぼ垂直方向に位置し、クリップ保持部材３２の下端縁は挟持部材１８の下端よりも下方に位置している。
【００２５】
枠体１２の一つの角部５０には、回転支持部５２が一体に形成されている。回転支持部５２は、角部５０を形成する一対のクリップ保持部材３２の、外側の角度を二分する方向に延出する板状であり、側面はこのピンチハンガー４８を吊り下げた状態でほぼ垂直方向下方に向いており、枠体１２から離れた先端縁部には、垂直方向下方に図示しない軸部材が挿通されている。この軸部材には、３本の物干し棒５４が軸止されている。物干し棒５４は、長手方向が水平で互いに平行であり、枠体１２に対して垂直方向に３本が所定間隔で並べられて位置している。物干し棒５４の位置は、クリップ１６の範囲内の位置で、水平方向に配置されている。物干し棒５４の一方の端部５４ａは回転支持部５２に、水平方向に回転可能に軸止されている。物干し棒５４の他方の端部５４ｂは自由端となり、端部５４ｂよりも少し端部５４ａ寄りの位置に、小形のクリップ５６が取り付けられている。
【００２６】
枠体１２の、角部５０に隣接する一方の角部５８付近には、角部５０も形成する一方のクリップ保持部材３２の側面に、係止支持部６０が設けられている。係止支持部６０は、クリップ保持部材３２の側面からほぼ直角に立ち上がる板状であり、側面は垂直方向で、枠体１２から離れた先端縁部には、物干し棒５４を係止する３個の凹部６２が垂直方向にほぼ等間隔に形成されている。凹部６２の入口は、凹部６２の底部よりも上方に開口されているため、物干し棒５４が確実に保持される。枠体１２の、角部５０に隣接する他方の角部６４付近にも同形の係止支持部６０が設けられている。枠体１２の、角部５０と対角線上に位置する角部６６には、角部５０と同形の回転支持部５２が設けられている。この回転支持部５２にも、３本の物干し棒５４が軸止されている。枠体１２の、角部６６に隣接する角部５８，６４付近には、角部６６も形成するクリップ保持部材３２の側面に係止支持部６０が各々設けられている。なお、物干し棒５４は３本以外に２本でも４本以上でもよい。
【００２７】
次に、この実施形態のピンチハンガー４８の使用方法について説明する。ピンチハンガー４８の吊下げ具２８を、物干し竿等にかけてピンチハンガー４８を取り付ける。そして、クリップ１６に下着や靴下等小さい洗濯物を挟んで干す。各物干し棒５４には、タオル等の大きい洗濯物６７を二つ折りしてかける。このとき、図６に示すように３本の物干し棒５４のうち２本は回転支持部５２を中心として回転させ、互いに離して洗濯物が接触しないようにする。物干し棒５４を係止支持部６０に係止した状態で干すと、物干し棒５４は回転支持部５２と係止支持部６０によりクリップ１６から所定間隔はなれて外側に保持されるため、クリップ１６に保持された小さい洗濯物に大きい洗濯物６７が接触することがなく、また大きい洗濯物６７が下着等の小さい洗濯物を覆うため、外側から見えなくなる。物干し棒５４は、二方向の係止支持部６０のいずれにも係止可能であり、外側から見えなくする向きを選択することができる。また、物干し棒５４がクリップ１６の外側に位置するため、クリップ１６の破損も防止することができる。
【００２８】
この実施形態のピンチハンガー４８によれば、上記各実施形態と同様の効果を有するものである。さらに、クリップ保持部材３２の下端縁はクリップ１６の下端よりも下方に位置しているので、洗濯物をクリップ１６に挟む際に、クリップ保持部材３２がガイドとなり、挟みやすいものである。さらにクリップ１６の把持部１７がクリップ保持部材３２から大きく突出していないので、クリップ１６を把持する際にクリップ保持部材３２に指を伸ばしたまま４本とも掛けることができ、保持しやすいものである。さらに、手指の不自由な人にも操作性がよい。また、物干し棒５４が複数本設けられて多くの洗濯物を効率よく乾かすことができる。また、クリップ１６に取り付けた下着等の小さい洗濯物を、物干し棒５４にかけたタオル等の大きい洗濯物６７で隠すことができる。
【００２９】
次にこの考案の第五実施形態について図８，図９に基づいて説明する。ここで、上記実施形態と同様の部材は同様の符号を付して説明を省略する。この実施形態のピンチハンガー６８は、図５と同様に枠体１２が台形のクリップ保持部材３２で作られ、クリップ保持部材３２にはクリップ１６が取り付けられている。
【００３０】
枠体１２の各クリップ保持部材３２には、クリップ保持部材３２の下端縁部３２ｂからクリップ保持部材３２の外側に延出する支持部材７０が設けられている。支持部材７０はクリップ保持部材３２の水平方向両端部付近にそれぞれ設けられ、ほぼ垂直方向に延出し次にほぼ水平方向に枠体１２の外側へ向かってL字形に折り曲げられている。一対の支持部材７０の間には、クリップ保持部材３２に対して平行な物干し棒７２が連結されて設けられている。支持部材７０は、クリップ保持部材３２側の基端部で回転可能に取り付けられている。支持部材７０を動かして物干し棒７２を移動することにより、使用状態と収納状態に切り替える。
【００３１】
次に、この実施形態のピンチハンガー６８の使用方法について説明する。ピンチハンガー６８の吊下げ具２８を、物干し竿等にかけてピンチハンガー６８を取り付ける。そして、クリップ１６に下着や靴下等小さい洗濯物を挟んで干す。物干し棒７２には、タオル等の大きい洗濯物６７を二つ折りしてかける。このとき、物干し棒７２は図８に示すように、支持部材７０が水平方向へ延出する開き位置にセットし、洗濯物が接触しないようにする。物干し棒７２を開き位置にセットすることにより、物干し棒７２がクリップ１６から離れ、風通しが良くなる。また、このとき物干し棒７２の大きい洗濯物６７がクリップ１６の小さい洗濯物を覆うため、外側から見えなくなる。そしてピンチハンガー６８を使用しないときは、物干し棒７２を図９に示すように、支持部材７０が垂直方向上方へ延出する閉じ位置にセットし、外形を小さくして収納等に便利な形状とする。
【００３２】
この実施形態のピンチハンガー６８によれば、上記第一実施形態と同様の効果を有するものである。さらに、物干し棒７２が設けられて多くの洗濯物を干すことができ、また、下着等の小さい洗濯物を、物干し棒７２にかけたタオル等の大きい洗濯物６７で隠すことができる。そして、ピンチハンガー６８を使用しないときは、物干し棒７２を収納状態にして小さくし、コンパクトに収納することができる。このとき、物干し棒７２がクリップ１６の外側に位置するため、クリップ１６が、収容するための洗濯カゴの目等に絡むことを防ぐ。
【００３３】
次にこの考案の第六実施形態について図１０に基づいて説明する。ここで、上記実施形態と同様の部材は同様の符号を付して説明を省略する。この実施形態のピンチハンガー１００は、台形の板であるクリップ保持部材３２を４枚組んで、四角形の枠体１２が作られ、クリップ保持部材３２はその側面が斜め上方に面して傾斜し、その外側斜面にクリップ１６が取り付けられている。
【００３４】
枠体１２のクリップ保持部材３２には、上側の四隅に吊り下げ用の紐１０２が設けられ、紐１０２の先端部に、ほぼ枠体１２の１辺と等しく枠体１２内に収納可能な長さの吊り下げ棒１０４が、互いに平行に取り付けられている。一対の吊り下げ棒１０４の中央部には、枠体１２の他方の辺の長さとほぼ等しい１本の中央吊り下げ棒１０６が固定され、中央吊り下げ棒１０６の中心部にフック部材１０８が固定されている。
【００３５】
また、枠体１２の内側には、内部空間を３等分するように２枚のクリップ保持板１１０が回転自在に設けられている。このクリップ保持板１１０は、回転軸１１２が枠体１２に軸支され、使用状態でクリップ１６の挟持用端部２２がほぼ下方を向く位置で係止される。また、収納時にはクリップ保持板１１０が水平方向に位置して、係止される。枠体１２の上縁部には、収納時に中央吊り下げ棒１０６の両端を保持する凹部１１４が形成されている。
【００３６】
なお、この実施形態のピンチハンガー１０に、仮想線で示すような物干し棒１１６が水平方向に設けられていても良い。この場合も、物干し棒１１６の位置は、クリップ保持板３２の長さの範囲内の位置で、水平方向に配置されている。
【００３７】
次に、この実施形態のピンチハンガー１０の使用方法について説明する。ピンチハンガー１００の吊下げ具１０８を、物干し竿等任意の部材にかけてピンチハンガー１００を吊下げる。そしてクリップ１６に洗濯物を挟んで、吊るして乾かす。
【００３８】
この実施形態のピンチハンガー１００によれば、クリップ１６が枠体１２に直接取り付けられているため、クリップ１６同士、またはクリップ１６と、枠体１２、吊り下げ棒１０４，１０６、吊下げ具１０８等と、他の物干し用具、洗濯カゴの目等が絡まることがなく、洗濯物を干す作業効率が良く便利である。また、クリップ１６の挟持部材１８は、外側面１８ａがほぼ垂直方向に設けられているため、クリップ１６を開けたり閉めたりする操作が容易である。またクリップ１６の挟持用端部２２は、作業者がピンチハンガー１０の側方に立ったときに作業者のほうへ向くため、挟持用端部２２が見やすくなり、洗濯物を干しやすくなる。また、枠体１２内にクリップ保持板１１０が設けられ、枠体１２内にも洗濯物を干すことができる。また、収納時はクリップ保持板１１０が枠体１２内で倒されて収納され、邪魔にならない。なお、クリップ保持板１１０の表裏にクリップ１６が設けられていても良い。
【００３９】
次にこの考案の第七実施形態について、図１１を基にして説明する。ここで、上記実施形態と同様の部材は、同様の符号を付して説明を省略する。この実施形態のピンチハンガー１２０は、図１６に示すように、ピンチハンガー１２０の枠体１２の幅を、クリップ１６の長さより広くしたものである。さらに、枠体１２に軸支された回転軸１２２に、クリップ保持板１２４が長く延出したものである。クリップ保持板１２４は、網目構造に形成されている。
【００４０】
この実施形態のピンチハンガー１２０によれば、クリップ保持部材３２やクリップ保持板１２４の端縁部が、クリップ１６の挟持用端部２２よりも下方に位置するので、洗濯物は、クリップ保持部材３２やクリップ保持板１２４の端縁部にガイドされて、容易にクリップ１６に挟持させることができ、物干し作業が容易となり、お年寄りや障害のある人でも効率的に行うことができるものである。このクリップ保持板１２４も、収納時は枠体１２内に水平にして収納される。また、クリップ保持板１２４の表裏にクリップ１６が設けられていても良い。
【００４１】
次にこの考案の第八実施形態について、図１２、図１３を基にして説明する。ここで、上記実施形態と同様の部材は、同様の符号を付して説明を省略する。この実施形態のピンチハンガーは、図１２に示すように、クリップ１６の挟持用端部２２が下方を向く位置で枠部材１２のクリップ保持部材３２の内側の係止縁部１２１に係止され、さらに、クリップ保持部材３２の内側にクリップ保持板１２４が収納されて位置する状態でも、係止縁部１２５によりクリップ保持板１２４が係止される。また、クリップ保持部材３２の内側の係止縁部１２１，１２５以外の部分は、クリップ保持板１２４がスムーズに揺動できるように凹部１２３となっている。
【００４２】
なお、この実施形態のクリップ保持板１２４は、図１３に示すように、表裏にクリップ１６を取り付けても良く、その場合、表裏で互い違いの位置に取り付けると良い。
【００４３】
この実施形態のピンチハンガーによれば、クリップ保持部材３２やクリップ保持板１２４の端縁部が、クリップ１６の挟持用端部２２よりも下方に位置するので、洗濯物は、クリップ保持部材３２やクリップ保持板１２４の端縁部にガイドされて、容易にクリップ１６に挟持させることができ、物干し作業が容易となり、お年寄りや障害のある人でも効率的に行うことができるものである。このクリップ保持板１２４も、収納時は枠体１２内に水平にして収納され、邪魔にならず便利である。
【００４４】
なお、この考案のピンチハンガーは、上記各実施形態に限定されるものではなく、クリップは、図１４に示すように、クリップ保持部材と別体のものでも良い。このクリップ１６は、係止部９５が形成され、クリップ保持部材の上辺部にクリップ１６の係止部９５を掛けて用いられる。
【００４５】
さらに、この考案のピンチハンガーは、上記各実施形態に限定されるものではなく、枠体の形状は矩形や直線に限定されず、円形等でもよく、また前記枠体は、矩形に組まれ、角部頂点で開閉可能に形成され、前記枠体の一方の側縁を中心にして揺動可能に形成され、不使用時には前記枠体をその一方の側縁を中心に揺動させて、前記クリップが内側に位置するように形成されているものでも良い。さらに、枠体の中間にジョイントが設けられて使用しないときに折り畳むものでもよい。クリップ１６の形状や大きさ、構造、取り付ける数は、適宜変更可能である。クリップ保持部材や吊下げ具の形状や構造も適宜変更可能である。クリップを枠体の外側の側面ではなく、内側の側面に設けてもよい。
【００４６】
また、枠体は、矩形に組まれ、角部が開閉可能に形成され、枠体を一側縁部の長手方向の軸周りに回転可能な構造とし、使用時はクリップを外側にし、不使用時は枠体を回転させてクリップを内側にしても良い。その他、枠体の内側面と外側面にクリップを設けても良い。
【図面の簡単な説明】
【００４７】
【図１】この考案の第一実施形態のピンチハンガーの斜視図である。
【図２】この考案の第二実施形態のピンチハンガーの部分斜視図である。
【図３】この考案の第二実施形態のピンチハンガーの縦断面図である。
【図４】この考案の第三実施形態のピンチハンガーの斜視図である。
【図５】この考案の第四実施形態のピンチハンガーの縦断面図である。
【図６】この考案の第四実施形態のピンチハンガーの斜視図である。
【図７】この考案の第四実施形態のピンチハンガーの使用状態を示す斜視図である。
【図８】この考案の第五実施形態のピンチハンガーの使用状態を示す斜視図である。
【図９】この考案の第五実施形態のピンチハンガーの使用していない状態を示す斜視図である。
【図１０】この考案の第六実施形態のピンチハンガーの使用状態を示す斜視図である。
【図１１】この考案の第七実施形態のピンチハンガーの使用状態を示す斜視図である。
【図１２】この考案の第八実施形態のピンチハンガーを示す部分拡大斜視図である。
【図１３】この考案の第八実施形態のピンチハンガーのクリップ保持板を示す斜視図である。
【図１４】この考案のピンチハンガーに用いられるクリップの変形例を示す斜視図である。
【符号の説明】
【００４８】
１０  ピンチハンガー
１２  枠体
１４  クリップ保持部材
１６  クリップ
１８  挟持部材
２２  挟持用端部
２４  連結長尺部材
２８  吊下げ具
【図１】
0003140272.tif 000003
【図２】
0003140272.tif 000004
【図３】
0003140272.tif 000005
【図４】
0003140272.tif 000006
【図５】
0003140272.tif 000007
【図６】
0003140272.tif 000008
【図７】
0003140272.tif 000009
【図８】
0003140272.tif 000010
【図９】
0003140272.tif 000011
【図１０】
0003140272.tif 000012
【図１１】
0003140272.tif 000013
【図１２】
0003140272.tif 000014
【図１３】
0003140272.tif 000015
【図１４】
0003140272.tif 000016